【手続補正書】
【提出日】令和3年10月26日(2021.10.26)
【手続補正１】
【補正対象書類名】特許請求の範囲
【補正対象項目名】全文
【補正方法】変更
【補正の内容】
【特許請求の範囲】
【請求項１】
画像のブロックの現在の変換係数に関連する構文要素のコンテキストを、前記ブロックの面積に、前記ブロック内の前記現在の変換係数の位置に、及びローカルテンプレート内の非零の隣接変換係数の数に基づき判断することと、前記判断されたコンテキストに少なくとも基づき前記構文要素を復号化することと、を含む復号化方法であって、ローカルテンプレート形状は前記ブロックの形状に依存する、復号化方法。
【請求項２】
前記構文要素は有意フラグである、請求項１に記載の復号化方法。
【請求項３】
前記ローカルテンプレートは前記ブロックの最長次元の方向に沿ったより隣接した変換係数を含む、請求項１に記載の復号化方法。
【請求項４】
前記ローカルテンプレートは現在のブロックの複数の隣接変換係数を含み、
前記複数の隣接変換係数及び前記現在の変換係数は、前記現在のブロックが横長方形である場合に横長方形を形成し、前記現在のブロックが縦長方形である場合に縦長方形を形成する、請求項１に記載の復号化方法。
【請求項５】
前記ローカルテンプレート形状はさらに前記ブロックの走査順に依存する、請求項１に記載の復号化方法。
【請求項６】
前記ローカルテンプレートは現在のブロックの複数の隣接変換係数を含み、
前記複数の隣接変換係数及び前記現在の変換係数は、前記走査順が水平方向である場合に横長方形を形成し、前記走査順が垂直方向である場合に縦長方形を形成する、請求項５に記載の復号化方法。
【請求項７】
画像のブロックの現在の変換係数に関連する構文要素のコンテキストを、前記ブロックの面積に、前記ブロック内の前記現在の変換係数の位置に、及びローカルテンプレート内の非零の隣接変換係数の数に基づき判断することと、
前記判断されたコンテキストに少なくとも基づき前記構文要素を符号化することとを含む符号化方法であって、前記ローカルテンプレートは前記ブロックの形状に依存する、符号化方法。
【請求項８】
前記構文要素は有意フラグである、請求項７に記載の符号化方法。
【請求項９】
前記ローカルテンプレートは前記ブロックの最長次元の方向に沿ったより隣接した変換係数を含む、請求項７に記載の符号化方法。
【請求項１０】
前記ローカルテンプレートは現在のブロックの複数の隣接変換係数を含み、
前記複数の隣接変換係数及び前記現在の変換係数は、前記現在のブロックが横長方形である場合に横長方形を形成し、前記現在のブロックが縦長方形である場合に縦長方形を形成する、請求項７に記載の符号化方法。
【請求項１１】
ローカルテンプレート形状はさらに前記ブロックの走査順に依存する、請求項７に記載の符号化方法。
【請求項１２】
前記ローカルテンプレートは現在のブロックの複数の隣接変換係数を含み、
前記複数の隣接変換係数及び前記現在の変換係数は、前記走査順が水平方向である場合に横長方形を形成し、前記走査順が垂直方向である場合に縦長方形を形成する、請求項１１に記載の符号化方法。
【請求項１３】
画像のブロックの現在の変換係数に関連する構文要素のコンテキストを、前記ブロックの面積に、前記ブロック内の現在の変換係数の位置に、及びローカルテンプレート内の非零の隣接変換係数の数に基づき判断するとともに、前記判断されたコンテキストに少なくとも基づき前記構文要素を復号化するようにされた電子回路を含む復号化デバイスであって、ローカルテンプレート形状は前記ブロックの形状に依存する、復号化デバイス。
【請求項１４】
前記構文要素は有意フラグである、請求項１３に記載の復号化デバイス。
【請求項１５】
前記ローカルテンプレートは前記ブロックの最長次元の方向に沿ったより隣接した変換係数を含む、請求項１３に記載の復号化デバイス。
【請求項１６】
前記ローカルテンプレートは現在のブロックの複数の隣接変換係数を含み、
前記複数の隣接変換係数及び前記現在の変換係数は、前記現在のブロックが横長方形である場合に横長方形を形成し、前記現在のブロックが縦長方形である場合に縦長方形を形成する、請求項１３に記載の復号化デバイス。
【請求項１７】
前記ローカルテンプレート形状はさらに前記ブロックの走査順に依存する、請求項１３に記載の復号化デバイス。
【請求項１８】
前記ローカルテンプレートは現在のブロックの複数の隣接変換係数を含み、
前記複数の隣接変換係数及び前記現在の変換係数は、前記走査順が水平方向である場合に横長方形を形成し、前記走査順が垂直方向である場合に縦長方形を形成する、請求項１７に記載の復号化デバイス。
【請求項１９】
画像のブロックの現在の変換係数に関連する構文要素のコンテキストを、前記ブロックの面積に、前記ブロック内の前記現在の変換係数の位置に、及びローカルテンプレート内の非零の隣接変換係数の数に基づき判断するとともに、前記判断されたコンテキストに少なくとも基づき前記構文要素を符号化するようにされた電子回路を含む符号化デバイスであって、ローカルテンプレート形状は前記ブロックの形状に依存する、符号化デバイス。
【請求項２０】
前記構文要素は有意フラグである、請求項１９に記載の符号化デバイス。
【請求項２１】
前記ローカルテンプレートは前記ブロックの最長次元の方向に沿ったより隣接した変換係数を含む、請求項１９に記載の符号化デバイス。
【請求項２２】
前記ローカルテンプレートは現在のブロックの複数の隣接変換係数を含み、
前記複数の隣接変換係数及び前記現在の変換係数は、前記現在のブロックが横長方形である場合に横長方形を形成し、前記現在のブロックが縦長方形である場合に縦長方形を形成する、請求項１９に記載の符号化デバイス。
【請求項２３】
前記ローカルテンプレート形状はさらに前記ブロックの走査順に依存する、請求項１９に記載の符号化デバイス。
【請求項２４】
前記ローカルテンプレートは現在のブロックの複数の隣接変換係数を含み、
前記複数の隣接変換係数及び前記現在の変換係数は、前記走査順が水平方向である場合に横長方形を形成し、前記走査順が垂直方向である場合に縦長方形を形成する、請求項２３に記載の符号化デバイス。
【請求項２５】
請求項１に記載の方法のためのプログラムコード命令を含むソフトウェアプログラムを運ぶコンピュータ可読ストレージ媒体。
【請求項２６】
請求項７に記載の方法のためのプログラムコード命令を含むソフトウェアプログラムを運ぶコンピュータ可読ストレージ媒体。
【請求項２７】
請求項１に記載の方法を実施するためのプログラムコード命令を含むコンピュータプログラム。
【請求項２８】
請求項７に記載の方法を実施するためのプログラムコード命令を含むコンピュータプログラム。
【手続補正２】
【補正対象書類名】明細書
【補正対象項目名】０１１２
【補正方法】変更
【補正の内容】
【０１１２】
多くの実施形態が説明された。それにもかかわらず、様々な修正がなされ得るということが理解される。例えば、様々な実施形態の要素は、他の実施形態を生成するために組み合わせられ、補完され、修正され、又は除去され得る。加えて、当業者は「他の構造及び処理が、開示されたものを置換し得る」ということと、「その結果の実施形態は、開示された実施形態と少なくともほぼ同じ結果を実現するために少なくともほぼ同じやり方で少なくともほぼ同じ機能を実行することになる」ということとを理解することになる。したがって、これら及び他の実施形態は本出願により企図される。
なお、上述の実施形態の一部又は全部は、以下の付記のように記載され得るが、以下には限定されない。
（付記１）
画像のブロックの現在の変換係数に関連する構文要素のコンテキストを、前記ブロックの面積に、前記ブロック内の前記現在の変換係数の位置に、及びローカルテンプレート内の非零の隣接変換係数の数に基づき判断すること（Ｓ３２０）と、前記判断されたコンテキストに少なくとも基づき前記構文要素を復号化すること（Ｓ３３０）と、を含む復号化方法であって、ローカルテンプレート形状は、前記ブロックの形状に依存する、復号化方法。
（付記２）
前記構文要素は、有意フラグである、付記１に記載の復号化方法。
（付記３）
前記ローカルテンプレートは、前記ブロックの最長次元の方向に沿ったより隣接した変換係数を含む、付記１又は２に記載の復号化方法。
（付記４）
前記ローカルテンプレートは、現在のブロックの複数の隣接変換係数を含み、
前記複数の隣接変換係数及び前記現在の変換係数は、前記現在のブロックが横長方形である場合に横長方形を形成し、前記現在のブロックが縦長方形である場合に縦長方形を形成する、付記１〜３のいずれかに記載の復号化方法。
（付記５）
前記ローカルテンプレート形状は、さらに前記ブロックの走査パターンに依存する、付記１に記載の復号化方法。
（付記６）
前記ローカルテンプレートは、現在のブロックの複数の隣接変換係数を含み、
前記複数の隣接変換係数及び前記現在の変換係数は、前記走査パターンが水平方向である場合に横長方形を形成し、前記走査パターンが垂直方向である場合に縦長方形を形成する、付記５に記載の復号化方法。
（付記７）
画像のブロックの現在の変換係数に関連する構文要素のコンテキストを、前記ブロックの面積に、前記ブロック内の前記現在の変換係数の位置に、及びローカルテンプレート内の非零の隣接変換係数の数に基づき判断すること（Ｓ１２０）と、
前記判断されたコンテキストに少なくとも基づき前記構文要素を符号化すること（Ｓ１３０）と、を含む符号化方法であって、前記ローカルテンプレートは、前記ブロックの形状に依存する、符号化方法。
（付記８）
前記構文要素は、有意フラグである、付記７に記載の符号化方法。
（付記９）
前記ローカルテンプレートは、前記ブロックの最長次元の方向に沿ったより隣接した変換係数を含む、付記７又は８に記載の符号化方法。
（付記１０）
前記ローカルテンプレートは、現在のブロックの複数の隣接変換係数を含み、
前記複数の隣接変換係数及び前記現在の変換係数は、前記現在のブロックが横長方形である場合に横長方形を形成し、前記現在のブロックが縦長方形である場合に縦長方形を形成する、付記７〜９のいずれかに記載の符号化方法。
（付記１１）
ローカルテンプレート形状は、さらに前記ブロックの走査パターンに依存する、付記７に記載の符号化方法。
（付記１２）
前記ローカルテンプレートは、現在のブロックの複数の隣接変換係数を含み、
前記複数の隣接変換係数及び前記現在の変換係数は、前記走査パターンが水平方向である場合に横長方形を形成し、前記走査パターンが垂直方向である場合に縦長方形を形成する、付記１１に記載の符号化方法。
（付記１３）
画像のブロックの現在の変換係数に関連する構文要素のコンテキストを、前記ブロックの面積に、前記ブロック内の前記現在の変換係数の位置に、及びローカルテンプレート内の非零の隣接変換係数の数に基づき判断する手段と、前記判断されたコンテキストに少なくとも基づき前記構文要素を復号化する手段とを含む復号化デバイスであって、ローカルテンプレート形状は、前記ブロックの形状に依存する、復号化デバイス。
（付記１４）
画像のブロックの現在の変換係数に関連する構文要素のコンテキストを、前記ブロックの面積に、前記ブロック内の前記現在の変換係数の位置に、及びローカルテンプレート内の非零の隣接変換係数の数に基づき判断する手段と、前記判断されたコンテキストに少なくとも基づき前記構文要素を符号化する手段とを含む符号化デバイスであって、ローカルテンプレート形状は、前記ブロックの形状に依存する、符号化デバイス。
（付記１５）
付記１〜６のいずれかに記載の復号化方法のためのプログラムコード命令を含むソフトウェアプログラムを運ぶコンピュータ可読ストレージ媒体。
（付記１６）
付記１〜７のいずれかに記載の符号化方法のためのプログラムコード命令を含むソフトウェアプログラムを運ぶコンピュータ可読ストレージ媒体。